【手続補正書】
【提出日】平成17年1月5日(2005.1.5)
【手続補正１】
【補正対象書類名】明細書
【補正対象項目名】０００５
【補正方法】変更
【補正の内容】
【０００５】
即ち枠体１０７の一方の側に陽イオン交換膜１０１を封着し、当該枠体１０７
内部に混合イオン交換樹脂１０３を充填し、次いで枠体１０７の他方の部分に陰
イオン交換膜１０２を封着したものである。なおイオン交換膜は比較的軟らかい
ものなので、枠体１０７内部に混合イオン交換樹脂１０３を充填してその両面を
イオン交換膜で封着したとき、イオン交換膜が湾曲して混合イオン交換樹脂１０
３の充填層が不均一となるのを防止するため、枠体１０７の空間部に複数のリブ
１０８を縦設するのが一般的である。また図６では図示していないが、枠体１０
７の上方部に被処理水の流入口が、また枠体の下方部に処理水の流出口が付設さ
れている。    
【手続補正２】
【補正対象書類名】明細書
【補正対象項目名】００３４
【補正方法】変更
【補正の内容】
【００３４】
一方、電気式脱陰イオン水製造装置２０ｂは、一側の陰イオン交換膜２と他側
のイオン交換膜１７で区画される脱イオン室に有機多孔質陰イオン交換体１６を
充填してなる脱陰イオン室７と、一側の陰イオン交換膜２の外側に配設される陽
極１０と、他側のイオン交換膜１７の外側に配設される陰極９と、電気式脱陽イ
オン水製造装置２０ａの第１処理水集水部４ａと連通管５ａで接続される脱陰イ
オン室７中の一側の陰イオン交換膜２近傍に配設される第２被処理水導入分配部
３ｂと、脱陰イオン室７中の他側のイオン交換膜１７近傍に配設される第２処理
水集水部４ｂとを有するものである。すなわち、電気式脱陽イオン水製造装置２
０ｂの多孔質陰イオン交換体１６内における通水方向は図１中の実線の矢印方向
である上から下である。  
【手続補正３】
【補正対象書類名】明細書
【補正対象項目名】００３５
【補正方法】変更
【補正の内容】
【００３５】
本例の電気式脱陽イオン水製造装置２０ａの脱陽イオン室６に充填される有機多
孔質陽イオン交換体１５としては、前述の有機多孔質陽イオン交換体が好適であり
、電気式脱陰イオン水製造装置２０ｂの脱陰イオン室７に充填される有機多孔質陰
イオン交換体１６としては、前述の有機多孔質陰イオン交換体が好適である。また
、脱陽イオン室６及び脱陰イオン室７の形状としては、排除されるイオンが、多孔
質イオン交換体内の通水方向に対して逆方向に泳動するように電場を印加すること
ができれば、特に制限されないが、例えば円柱状又は直方体状とすることが構成部
材の製造のし易さ等の点から好適である。また、被処理水が移動する距離、即ち脱
陽イオン室６及び脱陰イオン室７を構成する多孔質イオン交換体充填層の有効厚み
は、２０〜６００mm、好ましくは３０〜３００mmとすることが、電気抵抗値や通水
差圧を低い値に抑えつつ脱イオン処理を確実に行うことができる点で好適である。
両側のイオン交換膜で区画される脱イオン室への有機多孔質イオン交換体の充填方
法としては、特に制限されず、例えば脱イオン室に合わせた形状の多孔質イオン交
換体を製造してそのまま充填してもよいし、また、複数に分割した層状の有機多孔
質イオン交換体を積層して充填してもよい。    
【手続補正４】
【補正対象書類名】明細書
【補正対象項目名】００３６
【補正方法】変更
【補正の内容】
【００３６】
陽イオン交換膜としては、陽イオンのみを透過させ、その両側の水を隔離でき
るものであれば、特に限定されないが、例えばフッ素樹脂母体に-ＳＯ3-基を導
入した強酸性陽イオン交換膜（例えばNafion 117やNafion 350（デュポン社製）
）及びスチレン−ジビニルベンゼン共重合体母体に-ＳＯ3-基を導入した強酸性
陽イオン交換膜（例えばネオセプタ CMX（徳山曹達社製））等が挙げられる。陰
イオン交換膜としては、陰イオンのみを透過させ、その両側の水を隔離できるも
のであれば、特に限定されないが、例えばフッ素樹脂母体に陰イオン交換基を導
入した陰イオン交換膜（例えばTOSFLEX IE-SA, TOSFLEX IE-DF, TOSFLEX IE-SF
（東ソー社製））及びスチレン−ジビニルベンゼン共重合体母体に陰イオン交換
基を導入した陰イオン交換膜（例えばネオセプタ AMH（徳山曹達社製））等が挙
げられる。また、本例の電気式脱イオン水製造装置２０Ａで用いるイオン交換膜
１７は、陽イオン交換膜又は陰イオン交換膜のいずれかを用いることができる。    
【手続補正５】
【補正対象書類名】明細書
【補正対象項目名】００３９
【補正方法】変更
【補正の内容】
【００３９】
電気式脱イオン水製造装置２０Ａにおいて、第１及び第２被処理水導入分配部
３ａ、３ｂ及び第１及び第２処理水集水部４ａ、４ｂとしては、例えば脱イオン
室内に均等な被処理水の流れを形成せしめるように、脱イオン室形状に合わせて
、配管に細孔を開けた分配管および集水管を同心円状や等間隔平行線状に多孔質
イオン交換体内に埋設させる方法、及び多孔質イオン交換体の被処理水導入分配
部と処理水集水部に溝を切り、多孔質イオン交換体そのものに被処理水分配及び
処理水集水機能を持たせる方法が挙げられ、この中、多孔質イオン交換体そのも
のに被処理水分配及び処理水集水機能を持たせる方法が、別途の配管部材を用意
することもなく簡単に作製することができる点で好適である。  
【手続補正６】
【補正対象書類名】明細書
【補正対象項目名】００４４
【補正方法】変更
【補正の内容】
【００４４】
電気式脱陽イオン水製造装置２０ａにおいて、被処理水は脱陽イオン室６の陰
極９側から導入され、第１被処理水導入分配部３ａによって多孔質陽イオン交換
体１５に均等に分配される。次いで、被処理水は多孔質陽イオン交換体１５内に
おいて陽イオンＸ+を吸着除去されながら陽極１０側へ移動し、酸性軟水となっ
て第１処理水集水部４ａによって集水され第１処理水として脱陽イオン室６から
排出される。次いで、該酸性軟水は連通管５ａによって脱陰イオン７室内の陽極
１０側に導入され、同様に第２被処理水導入分配部３ｂによって多孔質陰イオン
交換体１６に均等に分配される。次いで、被処理水である第１処理水は多孔質陰
イオン交換体１６内において陰イオンＹ-を吸着除去されながら陰極９側へ移動
し、第２処理水集水部４ｂによって集水され第２処理水として脱陰イオン室７か
ら排出される。    
【手続補正７】
【補正対象書類名】明細書
【補正対象項目名】００５０
【補正方法】変更
【補正の内容】
【００５０】
電気式脱イオン水製造装置２０Ｂにおいては、電気式脱イオン水製造装置２０
Ａと同様、被処理水は脱陽イオン室６の陰極９側から導入され、第１被処理水導
入分配部３ａによって多孔質陽イオン交換体１５に均等に分配される。次いで、
被処理水は多孔質陽イオン交換体１５内において陽イオンＸ+を吸着除去されな
がら中間陽イオン交換膜１側へ移動し、酸性軟水となって第１処理水集水部４ａ
によって集水され第１処理水として脱陽イオン室６から排出される。次いで、第
１処理水は連通管５ｂによって脱陰イオン室７内の陽極１０側に導入され、同様
に第２被処理水導入分配部３ｂによって多孔質陰イオン交換体１６に均等に分配
される。次いで、被処理水である第１処理水は多孔質陰イオン交換体１６内にお
いて陰イオンＹ-を吸着除去されながら中間陽イオン交換膜１側へ移動し、第２
処理水集水部４ｂによって集水され第２処理水として脱陰イオン室７から排出さ
れる。    
【手続補正８】
【補正対象書類名】明細書
【補正対象項目名】００５２
【補正方法】変更
【補正の内容】
【００５２】
次に、本発明の第３の実施の形態における電気式脱イオン水製造装置を図３を
参照して説明する。図３は本例の電気式脱イオン水製造装置の構造を示す模式図
である。図３において、図１と同一構成要素には同一符号を付してその説明を省
略し、異なる点について主に説明する。図３の電気式脱イオン水製造装置２０Ｃ
において図１と異なる点は、電極１組を省略して、１組の電極間に脱陽イオン室
と脱陰イオン室を併設すると共に、排除するイオンを中央に設けた濃縮室に集め
る構造とした点にある。すなわち、本例の電気式脱イオン水製造装置２０Ｃは、
一側のイオン交換膜１７と、一側のイオン交換膜１７と他側のイオン交換膜１７
の間に形成される中間陽イオン交換膜１とで区画される第１脱イオン室に有機多
孔質陽イオン交換体１５を充填してなる脱陽イオン室６と、中間陽イオン交換膜
１と、中間陽イオン交換膜１と他側のイオン交換膜１７の間に形成される中間陰
イオン交換膜２とで区画される濃縮室１１と、他側のイオン交換膜１７と中間陰
イオン交換膜２で区画される第２脱イオン室に有機多孔質陰イオン交換体１６を
充填してなる脱陰イオン室７と、一側のイオン交換膜１７の外側に配設される陽
極１０と、他側のイオン交換膜１７の外側に配設される陰極９と、脱陽イオン室
６中の中間陽イオン交換膜１近傍に配設される第１被処理水導入分配部３ａと、
脱陽イオン室６中の一側のイオン交換膜１７近傍に配設される第１処理水集水部
４ａと、第１処理水集水部４ａと連通管５ｂで接続される脱陰イオン室７中の中
間陰イオン交換膜２近傍に配設される第２被処理水導入分配部３ｂと、脱陰イオ
ン室７中の他側のイオン交換膜１７近傍に配設される第２処理水集水部４ｂとを
備えるものである。
【手続補正９】
【補正対象書類名】明細書
【補正対象項目名】００６０
【補正方法】変更
【補正の内容】
【００６０】
（電気式脱陰イオン水製造装置の作製）
得られた多孔質陰イオン交換体について、前記と同様の方法により充填材を得
ると共に、被処理水導入分配部３及び処理水集水部４を形成してブロック状多孔
質陰イオン交換体１６を得た。次いで、ブロック状多孔質陰イオン交換体１６の
一側に陰イオン交換膜２（ネオセプタ AMH；徳山曹達社製）を、他側に陽イオン
交換膜（Nafion 350；デュポン社製）をそれぞれ密着させて配設した。更に、陰
イオン交換膜２の外側面に白金メッシュ状の陽極１０を、陽イオン交換膜の外側
面に白金メッシュ状の陰極９を配置した。なお、陽極１０と陰イオン交換膜２の
間にはポリテトラフロロエチレン製メッシュを介在させた。得られた構造体を、
適宜ノズルやリード線取り出し口を有するポリ塩化ビニル製のケース内に構築し
、電気式脱陰イオン水製造装置２０ｂを作製した。